Podtech/llm-jp-corpus-v4-ja_patent huggingface dataset:
(57)【要約】【課題】弦楽器の弦高を精度よく測定し数値化する。【解決手段】被測定弦楽器に電気伝導体の計測弦を張り、絶縁体で作った楔形測定子の上部斜面に膜状で且つ一様な抵抗体を張り、抵抗体の両端に電圧を掛けながら測定したい楽器ネック部の弦に接触するまで挿入する。  抵抗体と計測弦が接触した時の計測弦の電圧を計測する事によって、楔測定子のどの位置に計測弦が接したかを知り、楽器のネックと弦の距離である弦高を測定する。【選択図】図２
2011164560.tif 000002
【特許請求の範囲】
【請求項１】
弦楽器に張った電気伝導体で作られた計測弦と、絶縁体で作った楔形測定子の上部斜面に膜状で且つ一様な抵抗体を張り、抵抗体の両端に電圧をかけながら楔形測定子を楽器ネック部と弦の間に挿入し、抵抗体が計測弦に接した時の計測弦の電圧を計測し、弦楽器の弦高を求める弦高測定装置
【請求項２】
上記［請求項１］に於ける計測において、抵抗体の両端に電圧をかけるに当り、［図２］にある様に、夫々の端の高さの読みＡ（ｍｍ），Ｂ（ｍｍ）の単位を（Ｖ）に代えた電圧Ａ（Ｖ），Ｂ（Ｖ）を加える。
この様な状態で抵抗体の一点に接した計測弦の電圧を電圧計で計測すれば、電圧計の読みＨ（Ｖ）の単位を（ｍｍ）に変えたものＨ（ｍｍ）がそのまま、その位置の弦高を表す様に出来る。
【請求項３】
上記［請求項１］に於ける計測において、［図２］にある様に、抵抗体に計測弦が接した時にコンパレーターの出力がＯＮするようにし、その出力でインジケーターを点灯すると共に、計測弦の電圧を入力したサンプルホールド回路をホールド状態にする。
このサンプルホールド回路の出力をインジケーター点灯中に計測する事で、楔形測定子を挿入する事で計測弦が変位する直前の位置における電圧を、電圧計で計測する事が出来る。
【発明の詳細な説明】
【技術分野】
【０００１】  本発明は弦楽器の弦高を抵抗の変化により、測定する方法に関するものである。
【先行技術文献】
【特許文献】
【０００３】
【特許文献１】特願２００９−２３５７１［整理番号］  ＫＴ０００１
［提出日］    平成２１年９月１６日
［書類名］    特許願
［発明者］    高野  卓雄
［発明の名称］弦楽器用弦高測定器
【特許文献２】特願２００９−２５３４５６［整理番号］  ＫＴ０００２
［提出日］    平成２１年１０月１５日
［書類名］    特許願
［発明者］    高野  卓雄
［発明の名称］弦楽器弦高測定器用センサー
【発明の概要】
【発明が解決しようとする課題】
【０００２】  従来楽器を使用するにつれて変化していく弦楽器の弦高を測定し管理するには、物差しや適当な厚みのゲージを使用して弦高を測定し管理していた。
この様な測定では十分な精度と客観性の在る計測が出来ないため、感覚に頼った弦高管理を行っている点である。
【課題を解決するための手段】
【０００３】  本発明は実際の弦の変わりに電気伝導体で作られた計測弦を計測したい楽器に張り、絶縁体で作った楔形測定子の上部斜面に膜状で且つ一様な抵抗体を張り、両端に電圧をかけて測定したい楽器ネック部と計測弦の間に挿入し、ネック上を滑らせながら抵抗体に計測弦が接触するまで挿入する。
楔形測定子の抵抗体と計測弦が接触した所で、接触インジケーターを点灯すると同時に、その時の電圧をサンプルホールド回路に記憶させる。
記憶された電圧を計測する事によって、楔形測定子のどの位置に計測弦が最初に接触したかを知り、楽器のネックと弦の距離である弦高を測定する。
【発明の効果】
【０００４】  本発明の弦高測定により、弦楽器の演奏しやすさと音質に影響がある弦高を正確に測定し管理することが可能になる。
【図面の簡単な説明】
【０００５】
【図１】図１は弦高測定装置の実施方法を示した説明図である。
【図２】図２は弦高測定装置の計測方法を示した説明図である。
【図３】図３は弦高測定装置のセンサー部と計測弦の詳細を示した説明図である。
【発明を実施するための形態】
【０００６】  計測は楔形測定子を接触インジケーターが点灯する所までネック上を滑らせながら挿入する。
接触インジケーターが点灯したところで電圧計の値を読み取り弦高を求める。
【実施例】
【０００７】  図１は、本発明装置の１実施例で弦楽器の各部と弦高測定装置の楔形測定子及び計測弦との関係を示している。【０００８】  図２は、本発明装置の計測原理で、楽器のネックから一方の端の高さがＡ（ｍｍ）他の端の高さがＢ（ｍｍ）の一様な抵抗を持った抵抗体のＡ端にＡ（Ｖ）同じくＢ端にＢ（Ｖ）の電圧を供給する。
この時抵抗体のネックからＨ（ｍｍ）の高さの部位の電圧はＨ（Ｖ）と成る。
従って抵抗体のＨ点に接する計測弦の電圧はＨ（Ｖ）と成り、弦高Ｈ（ｍｍ）を電圧計にて直接読み取ることが出来る。
またこの時電圧コンパレーターで電圧ＨとＢを比較し、Ｈ＞Ｂの時接触インジケーターが点灯し、且つサンプルホールド回路によりその時の電圧Ｈ（Ｖ）を記憶するようにしておく。
図の様にＡ＞ＢであればＨ＞Ｂと成る為、計測弦と抵抗体が接触すればコンパレーターがＯＮ状態と成り、接触インジケーターは点灯し且つサンプルホールド回路はホールド状態になる。
この状態で電圧計を読むならば計測弦が抵抗体に接触した瞬間の電圧を知ることになり、その時の電圧計の読みＨ（Ｖ）の単位を（ｍｍ）に代えればそのまま弦高と成る。【０００９】  図３は、本発明装置を実施する際の楔形測定子、抵抗体、計測弦及び楽器ネックの関係を示している。
【符号の説明】
【００１０】１      本発明装置の計測弦
２      本発明装置のセンサー
３      弦楽器のブリッジ
４      弦楽器の共鳴箱
５      弦楽器のネック
６      弦楽器の弦巻取り具
７      抵抗体Ｈ部の高さ（Ｈｍｍ：弦高）
２２    抵抗体
７１    抵抗体Ａ端の高さ（Ａｍｍ）
７２    抵抗体Ｂ端の高さ（Ｂｍｍ）
７０１  抵抗体Ａ端への供給電圧（ＡＶ）
７０２  抵抗体Ｂ端への供給電圧（ＢＶ）
７０３  電圧計（接触時読み：ＨＶ）
７１０  電圧コンパレーター
７１１  接触インジケーター
７１２  サンプルホールド回路
【図１】
2011164560.tif 000003
【図２】
2011164560.tif 000004
【図３】
2011164560.tif 000005
(57)【要約】      （修正有）【課題】視覚的効果と情報量の増大を図り、商品カードの商品カタログ機能の強化と、訴求効果を大きくすることによる販売促進の効果を高めた商品カードを提供する。【解決手段】商品カード１を商品詳細情報記載部分２と商品写真及び主な特徴記載部分３の複数頁で構成する。【選択図】図１
2011164558.tif 000002
【特許請求の範囲】
【請求項１】
商品カードを複数頁にすることにより、視覚的効果と情報量の増大を図り、商品カードの商品カタログ機能の強化と、訴求効果を大きくすることによる販売促進の効果を高めた、複数頁商品カードである。
【請求項２】
前記複数頁の部分に、該当商品の詳細な情報を記載し、大型商品の展示商品近辺に設置し、顧客が商品を購入する際の在庫カードとして設置されることを特徴とする請求項１記載の複数頁商品カード。
【請求項３】
前記複数頁の部分に、該当商品の詳細な情報を記載し、小型商品の防犯対策のため、商品パッケージの代用として、店内の什器に直接吊り下げることを特徴とする請求項１記載の複数頁商品カード。
【請求項４】
前記複数頁の部分に、該当商品の詳細な情報を記載し、顧客が商品を購入する際のＰＯＰカタログとして、店内で販売される展示商品近辺に設置することを特徴とする請求項１記載の複数頁商品カード。
【発明の詳細な説明】
【技術分野】
【０００１】本発明は、販売店において、大型商品の在庫カード及び盗難防止のための小型商品の在庫カードとして用いられる、複数頁商品カードに関するものである。
【背景技術】
【０００２】従来、販売店において、大型商品は、店内に商品を展示し、在庫は倉庫にて管理して、販売時には顧客が希望する商品の在庫カードをレジまで持って行き、購入に至る。【０００３】従来、販売店において、小型商品は、防犯及び作業効率化のため、店内では在庫カードを用い、顧客が希望した商品の在庫カードをレジまで持って行き、レジにて在庫カードに該当する商品を販売している。
【発明の概要】
【発明が解決しようとする課題】
【０００４】大型商品の在庫カードは、Ａ６以下の大きさで、レジでの販売時に商品を間違えない様、メーカー名、型番、販売価格、ＪＡＮコード等、必要最小限の情報が一枚の硬性シートの表裏両面もしくは片面に記載されている。【０００５】小型商品の在庫カードは、Ａ６以下の大きさで、該当商品に関する情報が、一枚の硬性シートの表裏両面もしくは片面に記載されており、従来の商品パッケージの代用としても用いられていることから、表面には商品写真や主な特徴を大きく表示するため、詳細な情報は表面の一部や裏面の限られた大きさの中に記載しなければならなかった。本発明は、以上のような欠点をなくすためになされたものである。
【課題を解決するための手段】
【０００６】商品カードを複数頁にすることにより、視覚的効果と情報量の増大を図り、商品カードの商品カタログ機能の強化と、訴求効果を大きくすることによる販売促進の効果を高めた、複数頁商品カードである。
【発明の効果】
【０００７】商品カードの視覚効果を高め訴求効果大きくした上で、該当商品の購入に必要な情報を全て記載することが可能となり、顧客は購入を検討する１つ以上の商品カードを選択し、１つ以上の商品カードから必要な情報を入手することが可能になる
【発明を実施するための形態】
【０００８】以下に、図を用いて本発明の実施の形態を説明する。なお、本発明はこれら実施の形態になんら限定されるものではなく、その要旨を逸脱しない範囲において、種々なる態様で実施しうる。
【図面の簡単な説明】
【０００９】
【図１】（ａ）は、複数頁部が上に捲れ内側に商品の詳細な情報を記載できる。（ｂ）は、複数頁部が横に捲れ内側に商品の詳細な情報を記載できる。このため表面には商品写真と主な特徴を、視覚効果を高め訴求効果を大きくして記載することが可能となる。
【符号の説明】
【００１０】１  商品カード本体
２  商品詳細情報記載部分
３  商品写真及び主な特徴記載部分
【図１】
2011164558.tif 000003
(57)【要約】【課題】  多くの人が容易に音楽を奏でることができる、口腔を共鳴室として用いる笛楽器を提供する。【解決手段】  人の口にはまりやすいマウスピース（１）に、吹き口（２）と歌口（３）を設け、その裏に接触させる舌の位置をずらしたり、呼気の勢いを調整し、自由に音階を変化させられることを特徴とする。【選択図】図１
2011164557.tif 000002
【特許請求の範囲】
【請求項１】
マウスピース（１）に、吹き口（２）と歌口（３）を設けた口腔を共鳴室として用いる笛楽器。
【発明の詳細な説明】
【技術分野】
【０００１】  この発明は、口腔を共鳴室として用いる笛楽器に関するものである。
【背景技術】
【０００２】  従来、音楽を奏でるために、実に多様な楽器が存在していた。
【発明の開示】
【発明が解決しようとする課題】
【０００３】  これらの楽器で自由に音楽を奏でられるようになるには、多くの練習と熟達の課程を必要とした。本発明は、このような過程を経ずとも、容易に音楽を奏でられるようになる楽器の実現を目指してなされたものである。
【課題を解決するための手段】
【０００４】  人の口にはまりやすいマウスピース（１）に、吹き口（２）と歌口（３）を設けた。
本発明は、以上の構成よりなる口腔を共鳴室として用いる笛楽器である。
【発明の効果】
【０００５】  この発明による楽器で、多くの人が容易に音楽を奏でることができる。
【発明を実施するための最良の形態】
【０００６】  以下、本発明を実施するための最良の形態について説明する。
共鳴室や共鳴官のない、人の口にはまりやすいマウスピース（１）に、吹き口（２）と歌口（３）を設ける。
本発明は、以上のような構成で、これを使用するときは、マウスピースを口にくわえ、その裏面に、蓋をするように舌の表面を接触させて共鳴室を作り、吹き口から呼気を流して、音を鳴らす。
音楽を奏でる際には、舌の位置をずらす等にて共鳴室の容積を変えたり、呼気の勢いを調整して自由に音階を変えればよい。
【図面の簡単な説明】
【０００７】
【図１】  本発明の斜視図である。
【符号の説明】
【０００８】    １  マウスピース
２  吹き口
３  歌口
【図１】
2011164557.tif 000003
(57)【要約】【課題】地球環境のために少しでも電気を使いたくない。と言っても、手動のベルなどでは離れた場所や、壁の向こう側では、よく聞こえない。本発明は以上の課題に取り組み、手動ポンプなどで筒形状物の中の空気に圧をかけることにより、ほぼ瞬時に圧が出口から出る空気の特性において出口付近に設置した笛など音の出る物によって、離れた場所であってもブザー、及びチャイムの類の役割を果たせる機構を提供するものである。【解決手段】手動式ポンプ（１）などに筒形状物（２）を取り付け、出口付近には笛（３）など音の出る物を設置することを特徴とする。【選択図】図１
2011164561.tif 000002
【特許請求の範囲】
【請求項１】
手動ポンプ（１）などで筒形状物（２）内の空気に圧をかけ、出口付近に設置した笛（３）など音の出る物によって音が出て、離れた場所においてもブザー、及びチャイムの類の役割を果たせる機構。
【発明の詳細な説明】
【技術分野】
【０００１】  この発明は、空気圧を利用したブザー、及びチャイムに関するものである。
【背景技術】
【０００２】  現在のチャイムは電気によるものが主流であり、ベルなど手動による古典的なものも存在するが、空気圧を利用するブザー、及びチャイムの類は存在しなかった。
【発明が解決しようとする課題】
【０００３】  環境のため電気を使用しない。と言っても、手動のベルなどでは離れた場所や、壁の向こう側では、よく聞こえない。本発明は以上の課題に取り組むものである。
【課題を解決するための手段】
【０００４】  手動式ポンプ（１）などに筒形状物（２）を取り付け、出口付近には笛（３）など音の出る物を設置する。
【発明の効果】
【０００５】  電気に使用せずとも、離れた場所においてブザー、及びチャイムの類の役割を果たすことができた。
【図面の簡単な説明】
【０００６】
【図１】配置イメージ図
【発明を実施するための形態】
【０００７】図１のように手動ポンプ（１）などで筒形状物（２）の中の空気に圧をかけると出口付近に設置した笛（３）など音の出る物によって、離れた場所においてもブザー、及びチャイムの役割を果たせる機構である。
【実施例１】
【０００８】図１から説明します。玄関先にて手動ポンプ（１）などで筒形状物（２）の中の空気に圧をかけると出口付近に設置した笛（３）など音の出る物によって、家の中、離れた場所においてもブザー、もしくはチャイムの役割を果たせることができます。
【産業上の利用可能性】
【０００９】  電気を使用しない地球環境に配慮した製品として。また構造がシンプルなので製品化が容易であると同時に施工も容易である。
【符号の説明】
【００１０】（１）手動ポンプなど  （２）筒形状物  （３）笛など音の出る物
【図１】
2011164561.tif 000003
(57)【要約】      （修正有）【課題】球形弾性部材の中央側面部に導体物質材を巻きつけ、巻きつけた導体物質材の４側面に、下方向に向けたブラケットを設けた免震装置を提供する。【解決手段】１本のバネ線などの弾性部材を、シャフト４を軸に、ループ状に巻いて球形にする。球形弾性部材２の中央側面部に銅などの導体物質材３を巻きつける。巻きつけた導体物質材の４側面に、下方向に向けたブラケット５を設けた事を特徴とする。球形弾性部材の中心から出ている上方シャフトの上に、揺れては困る物体を置く。【選択図】図３
2011196539.tif 000002
【特許請求の範囲】
【請求項１】
１本のバネ線などの弾性部材を、シャフトを軸に、ループ状に巻いて、球形にした球形弾性部材に、導体物質材を巻きつけて、導体物質材の４側面に下方向に向けたブラケットを設けることを特徴とする免震装置。
【発明の詳細な説明】
【技術分野】
【０００１】本発明は、球形弾性部材に導体物質材を巻いた、免震装置に関する。
【背景技術】
【０００２】従来は、円柱バネなどが用いられていて、球形弾性部材を用いた免震装置は無かった。
【先行技術文献】
【特許文献１】  特開２００４−１５０２４７
【特許文献２】  特開２００４−１００７５１
【発明の概要】
【発明が解決しようとする課題】
【０００３】従来の免震装置に用いられている  円柱バネは、中心にゴムなどの弾性部材を入れて、遠心力で広がった振動を吸収するが、免震力が弱い。
【課題を解決するための手段】
【０００４】本発明は、１本のバネ線などの弾性部材を、シャフトを軸にループ状に巻いて、球形にした球形弾性部材に、銅などの導体物質材を巻き付ける。巻きつけた導体物質材に、下方向へむけたブラケットを設置する事で、上記課題を解決する。
【発明の効果】
【０００５】球形弾性部材を回巡する震動は、導体物質材と、導体物質材に設けられた下方向ブラケットで順次収縮し吸収し放散する。球形弾性部材の柱シャフトも同様の効果を生む。
【図面の簡単な説明】
【０００６】
【図１】  球形弾性部材の平面図である。
【図２】  球形弾性部材の側面図である。
【図３】  免震装置の側面図
【図４】  免震装置の縦断面図
【図５】  免震装置の横断面図
【図６】  連結した免震装置の側面図
【図７】  連結した免震装置の横断面図
【図８】  免震装置の建造物への設置概略図
【図９】  車に設置した免震装置の側面図
【発明を実施するための形態】
【０００７】以下、本発明を実施するための形態について説明する。１本のバネ線などの弾性部材を、シャフトを軸に、ループ状に巻いて球形にする。球形弾性部材の中央側面部に銅などの導体物質材を巻きつける。導体物質材の４側面に下方向に向けたブラケットを設ける。本発明は、以上のような構造である。
【実施例】
【０００８】球形弾性部材の中心から出ている下方シャフトと、導体物質材の４側面に下方向に設置されているブラケットは、地面などの震源物に接触させる。
球形弾性部材の中心から出ている上方シャフトの上に、揺れては困る物体を置く。【０００９】建造物などの場合は、免震装置を複合する事で、免震度を強固にし、建造物の下に設置し、免震する。  図６  図７  図８【００１０】貨物車などの車の場合は、地面から受ける縦揺れ、への対応で免震装置を、横向きにタイヤシャフトに設置し、荷台への揺れを免震する。図９
【符号の説明】
【００１１】  １      弾性部材
２      球形弾性部材
３      導体物質材
４      シャフト
５      ブラケット
６      シャフトの受け皿
７      免震装置
８      建造物
９      基礎工事
１０      地面
１１      タイヤシャフト
１２      タイヤ
１３      荷台
【図１】
2011196539.tif 000003
【図２】
2011196539.tif 000004
【図３】
2011196539.tif 000005
【図４】
2011196539.tif 000006
【図５】
2011196539.tif 000007
【図６】
2011196539.tif 000008
【図７】
2011196539.tif 000009
【図８】
2011196539.tif 000010
【図９】
2011196539.tif 000011
(57)【要約】      （修正有）【課題】ＣＶＴ駆動ベルトを複列に装備してＣＶＴの変速比を大きくする装置を提供する。【解決手段】ＣＶＴ被駆動プーリー側を中間プーリーとして新たなＣＶＴユニットを複列に装備することにより変速比を大きくした装置である。【選択図】図３
2011196541.tif 000002
【特許請求の範囲】
【請求項１】
ＣＶＴ（連続無段階変速機）のユニットを複列にして変速比を大きくしたＣＶＴユニット
【発明の詳細な説明】
【技術分野】
【０００１】  本発明はＣＶＴのユニットを複列に装備してＣＶＴの変速比を大きくする事に関する。
【背景技術】
【０００２】  現在、自動車などに使用されているＣＶＴは駆動プーリー（入力側）と被駆動プーリー（出力側）の径を変える事で変速比を変化させている。【０００３】  以下、図１・図２により従来のＣＶＴの変速について説明する。【０００４】  図１で駆動プーリー（入力側）の径を２として被駆動プーリー（出力側）の径を４とすると、変速比は１：２である。図２で駆動プーリー（入力側）の径を４として被駆動プーリー（出力側）の径を２とすると変速比は２：１である。合計変速比は４である。
【発明の開示】
【発明が解決しようとする課題】
【０００５】  以上に述べたＣＶＴの変速比は小さいもので変速比を大きくするには駆動・被駆動プーリーの径を大きくしなければならず装置が大きくなってしまう。【００６】  本発明はこのＣＶＴの変速比を大きくすることを目的とし、なお装置が複雑で大きくなることを防ぐものである。
【課題を解決するための手段】
【００７】  従来のＣＶＴの被駆動プーリーを中間プーリーとして新たなＣＶＴユニットを複列に設ける。
【発明の効果】
【００８】  新たに設けるＣＶＴユニットの数の分だけ変速比は乗数倍になる。
【発明を実施するための形態】
【００９】  本発明の状態を図３〜７に基ずいて説明する。
【００１０】  図３は通常のＣＶＴに新たに１セットＣＶＴを設けた全体図である。
【００１１】  図４で１列目ユニットの駆動プーリー（入力側）の径を２として被駆動プーリー（中間プーリー入力側）の径を４とする、図５で２列目ユニットの駆動プーリー（中間プーリー出力側）の径を２として被駆動プーリー（出力側）の径を４とすると１列目変速比は１：２で２列目で１：２で合計変速比は１：４である。
【００１２】  図６で１列目ユニットの駆動プーリー（入力側）の径を４として被駆動プーリー（中間プーリー入力側）の径を２とする図７で２列目ユニットの駆動プーリー（中間プーリー出力側）の径を４として被駆動プーリー（出力側）の径を２とすると１列目変速比は２：１で２列目変速比は２：１で合計変速比は４：１である。
【００１３】１列目・２列目の総合計変速比は１６である。ユニットを１つ追加するごとに乗数倍の変速比がえられる。
【図面の簡単な説明】
【００１４】
【図１】  ＣＶＴユニット変速比１：２
【図２】  ＣＶＴユニット変速比２：１
【図３】  複列ユニット平面図
【図４】  複列ユニットＡ−Ａ’断面図  変速比１：２
【図５】  複列ユニットＢ−Ｂ’断面図  変速比１：２
【図６】  複列ユニットＡ−Ａ’断面図  変速比２：１
【図７】  複列ユニットＡ−Ａ’断面図  変速比２：１
【符号の説明】
【００１５】１  １列目ユニット駆動プーリー（入力側）
２  １列目ユニット被駆動プーリー（中間プーリー入力側）
３  ２列目ユニット駆動プーリー（中間プーリー出力側）
４  ２列目ユニット被駆動プーリー（出力側）
５  １列目ユニットＣＶＴベルト
６  ２列目ユニットＣＶＴベルト
７  ＣＶＴユニット駆動プーリー（入力側）
８  ＣＶＴユニット被駆動プーリー（出力側）
９  ＣＶＴベルト
【図１】
2011196541.tif 000003
【図２】
2011196541.tif 000004
【図３】
2011196541.tif 000005
【図４】
2011196541.tif 000006
【図５】
2011196541.tif 000007
【図６】
2011196541.tif 000008
【図７】
2011196541.tif 000009
(57)【要約】      （修正有）【課題】スポーツをする人の足腰の筋力強化をはかり、股関節を鍛えるバンドを提供する。【解決手段】合成樹脂又はゴム等に、鉄粉又は鉄、鉛粉又は鉛等、重量のある物を混入し、重さ、長さ、巾、厚み、大、小、組み合せて形成するバンドであり、スラックス４の腰に固定させて使用する。【選択図】図２
2011196004.tif 000002
【特許請求の範囲】
【請求項１】
合成樹脂又はゴム等に、鉄粉又は鉄、鉛粉又は鉛等、重量のある物を混入し、バンドを形成する。それを腰に固定させて使用する股関節を鍛える重り付きバンド
【請求項２】
重さ、長さ、巾、厚み、大、小、いろいろ組み合せて形成し、巾広い年代層に合せて形成される事を特徴とした、請求項１の股関節を鍛える重り付きバンド
【請求項３】
必要に応じて、厚みを増してより重く、形成される箇所、又は逆に薄くし、軽く形成される箇所もある事を特徴とした、請求項１の股関節を鍛える重り付きバンド
【請求項４】
鉄、又は鉛のみの重りを形成し、従来のバンドにも取り付け取りはずしが簡単に出来る事を特徴とした請求項１の股関節を鍛える重り付きバンド
【発明の詳細な説明】
【技術分野】
【０００１】  本発明は合成樹脂、ゴム等に、鉄粉又は鉄塊、鉛粉又は鉛塊を混入し、重り付きバンドを形成する。スポーツ、ジョキング、足腰の筋力強化をはかる時、腰に固定させて、使用する、股関節を鍛える、重り付き、バンドに関するものである。
【背景技術】
【０００２】  従来あるバンドは、スラックスを身体に固定させる事を目的とした物、又は装飾を目的とした物のみであった。
【発明の開示】
【発明が解決しょうとする課題】
【０００３】  身体の中心に手軽に重さを加える事により股関節、足腰の筋力が鍛えられる器具として、バンドに着目する。従来のバンドには、それを目的とした物が見当らない。
【０００４】  巾広い年代層に利用される事を目的に、長さ、巾、厚み、重さ大、小、さまざまに形成する。スポーツトレーニング、ジョキング、する時、又は、股関節、足腰の筋を、鍛えたい時、手軽に着装出来て、異和感を感じさせない、股関節を鍛える、重り付き、バンドを形成する事を目的とする。
【課題を解決する為の手段】
【０００５】  合成樹脂、ゴム等に鉄粉又は鉄塊、鉛粉又は鉛塊を混入し、形成されたバンドは、従来あるバンドのように簡単に取り付け取りはずしが出来、重さがあっても異和感を感じさせない事を特徴とする。
【０００６】  重さ、長さ、巾、厚みを、大、小、形状定めず、いろいろと形成し、中高年、若い人、子供、男、女、誰にでも適応する事を特徴とする。
【０００７】  厚みも平均に又は、場所により、重さを多く加える箇所もあり、又は、薄くし、軽くする箇所もある事、を、特徴とする．
【０００８】  鉄、又は鉛のみで重りを形成し、従来あるバンドにも、取り付け取りはずしが、容易に出来る事を特徴とする。
【発明の効果】
【０００９】  請求項１に記戴の本発明は、腰に着装した時の感触が、従来のバンドと、なんら変らず、重さが加わる。主に股関節が鍛えられ野球、ゴルフ等する時、腰のひねりが良くなり、打った球に、力が乗る為、飛距離が伸びる．
【０００１０】  請求項２に記戴の本発明は、重さ、長さ、巾、を、大、小、さまざまに形成する事により大人から子供、男、女、巾広い層が利用出来る
【０００１１】  請求項３に記戴の本発明は、主にスポーツをする人が利用しやすいように、主に重さを加えたい箇所に、重さを加える、必要に応じて、任意の箇所により多く、重さを加える事も出来る．
【０００１２】  請求項４に記載の本発明は、鉄、又は鉛のみで重さを形成し、取り付け取りはずしが簡単に出来、更に従来使用のバンドにも使用出来る．
【実施例】
【０００１３】  本発明の股関節を鍛える、重り付きバンドは、図１に示すように１鉄粉又は鉄塊、鉛粉又は鉛塊を、２合成樹脂又はゴムに混入し、従来のバントと同じように形成する。【０００１４】  本発明の股関節を鍛える重り付きバンドは、図２に示すように身体に固定し、さらに鉄、鉛で形成した単品、Ａ重りを、取り付けた図で、従来あるバンドにも取り付け取りはずしが出来る．【０００１５】  本発明の股関節を鍛える重り付きバンドに又は従来あるバンドにも取り付け取りはずしが出来る、図３は、重りのみを形成した、見取図である。
〔産業上の利用可【０００１６】  上述の発明は、野球、ゴルフをする時、着装し、固定すれば軸足側に重さを加えれば、ボールを打つ時、足が浮かず、しっかりと踏ん張る事が出来る。スイングする時、手振りにならず腰をまわして、ボールをとらえるから、より打撃力が加わり、飛距離が出るなど、足腰の筋力強化、股関節を鍛える道具として、使用かんたで、利用効果も期待出来る．
【図面の簡単な説明】図１は、本発明の股関節を鍛える重りバンドの正面図
図２は、本発明の股関節を鍛える重りバンドを身体に固定させた正面図
図３は、本発明の股関節を鍛える重り付きバンドの取り付け取りはずしの出来る重りの見取図
【符号の説明】１は鉄粉又は鉄塊、鉛粉又は鉛塊
２は、合成樹脂、又はゴム
３は、とめ金具
４はスラックス
５は、バンド通し溝
Ａは、取りつけ取りはずしが出来る重り．
【図１】
2011196004.tif 000003
【図２】
2011196004.tif 000004
【図３】
2011196004.tif 000005
(57)【要約】【課題】子育てをしている中で子供がハイハイをしたり、つかまり立ちをし目が離せないからとヘルメットなどをかぶせるわけにはいかない。それらは重く堅いもので出来ている為、赤ちゃんはただでさえ頭が重く、それ以上に重くなり、かぶせる事は不可能である。本発明は、頭を守るための幼児用頭部保護具を提供する。【解決手段】頭部は、空気を含ませた塩化ビニール素材をドーナッツ型にする。本体は、空気を含ませた塩化ビニール素材を楕円型にし、頭部と連結させる。本体下部の空気栓から入れた空気は、本体及び頭部に送られる。本体とマジックテープは連結されている。【選択図】図１
2011196005.tif 000002
【特許請求の範囲】
【請求項１】
頭部は空気を含ませドーナッツ型にし、本体は空気を含ませ楕円型にさせて頭部と連結させ、本体下部の空気栓から入れた空気は本体及び頭部に送られ、本体にマジックテープを取り付けた幼児用頭部保護具。
【発明の詳細な説明】
【技術分野】
【０００１】本発明は、子育ての中で目が離せなくなり子供が頭を打ったり、転んで後ろにひっくり返った時などの心配をなくす為の幼児用頭部保護具に関するものである。
【背景技術】
【０００２】従来、家の中で頭をガードする為には子供の周りにクッションを置いたり、倒れても大丈夫なようにガードをしていた。
最近は、自転車に乗る時のヘルメットなどがある。
【先行技術文献】
【０００３】
【発明の概要】
【発明が解決しようとする課題】
【０００４】子育てをしている中で子供がハイハイをしたり、つかまり立ちをし、目が離せないからとヘルメットなどをかぶせるわけにはいかない。
それらは重く堅いもので出来ている為、赤ちゃんはただでさえ頭が重く、それ以上に重くなり、かぶせる事は不可能である。
本発明は以上の問題点を解決するものである。
【課題を解決するための手段】
【０００５】上記問題を解決するため本発明は、頭部は空気を含ませた塩化ビニール素材をドーナッツ型にする。本体は空気を含ませた塩化ビニール素材を楕円型にし、頭部と連結させる。
本体下部の空気栓から入れた空気は、本体及び頭部に送られ、本体にマジックテープを取り付けたものである。
【発明の効果】
【０００６】頭を守るものを本発明により、重さを軽くし、頭を守る部分がドーナッツ型になっていて頭にフィットしやすく、背中のクッションが楕円型になっている為、背中も守られしっかりガードしてくれる。
【図面の簡単な説明】
【図１】本発明の平面図
【図２】本発明の斜視図
【発明を実施するための形態】
【０００８】以下、本発明の実施の形態を説明する。
（イ）頭部（１）は、空気を含ませた塩化ビニール素材をドーナッツ型にする。
（ロ）本体（２）は、空気を含ませた塩化ビニール素材を楕円型にし、頭部（１）と連結させる。
（ハ）空気が入る為、本体下部に空気栓（４）を設ける。
（ニ）本体（２）の下部の空気栓から入れた空気は本体（２）及び頭部（１）に送られる。
（ホ）本体（２）の両サイドから、マジックテープ（３）が上部から下部にそれぞれ連結されている。
本発明は以上のような構造である。
本発明を使用する時は、空気栓（４）から頭部（１）・本体（２）に空気をしっかり入れる。
頭部（１）に頭の後ろの部分にあて、本体（２）を背中にあてる。
各マジックテープ（３）に腕を通し、丁度良いサイズに調節し腕をとめ使用する。
これで頭をガード出来る。
【符号の説明】
【０００９】（１）頭部、（２）本体、（３）マジックテープ、（４）空気栓
【図１】
2011196005.tif 000003
【図２】
2011196005.tif 000004
(57)【要約】【課題】従来、防音と防犯機能が優れ、且つ外見的にもイメージアップ効果をもたらす仮設壁及びバリケードがなかった。【解決手段】本発明によれば、防音と防犯機能が優れ、仮設塀用囲い板の上部が屋根の機能を持ち、通行者がこれによって日差し避けや、雨避けとして利用できることで、外見的にも機能性においてもイメージアップ効果をもたらしながら、設置側と通行者の両者に配慮した仮設塀用囲い板が提供される。【選択図】  図１
2011196090.tif 000002
【特許請求の範囲】
【請求項１】
本発明は、仮設塀用囲い板の上部がねずみ返しのようにカーブを描く形を成し、侵入者の侵入を防ぐことを特徴とする仮設塀用囲い板。
【請求項２】
請求項１において、防音と防犯機能が優れていることを特徴とする仮設塀用囲い板。
【請求項３】
請求項１または請求項２において、仮設塀用囲い板の上部が屋根の機能を持ち、通行者がこれによって日差し避けや、雨避けとして利用でき、設置側と通行者の両者に配慮していることを特徴とする仮設塀用囲い板。
【請求項４】
請求項１〜請求項３において、撥水性のインクジェット紙面を有し企業広告や地域物産紹介など幅広い用途で利用でき、イメージアップ効果をもたらすことを特徴とする仮設塀用囲い板。
【発明の詳細な説明】
【技術分野】
【０００１】
本発明は、工事用及びイベント用、その他盗難防止の仮設塀を構成する囲い板に関する。
【背景技術】
【０００２】
従来、工事現場やイベント会場では、仮設壁やバリケードを乗り越えて工事用器具や材料、またイベントに係る設備品が盗まれやすいという問題があった。
【０００３】
その為に、フェンスの嵩上げや、仮設壁やバリケードの上に有刺鉄線を設置するなどさまざまな工夫がなされてきた。
【発明の概要】
【発明が解決しようとする課題】
【０００４】
しかし、フェンスの嵩上げ方法では騒音対策は優れているが、不審者が高さの問題を解決すれば容易に進入でき、防犯面の問題はなかなか解決されなかった。
【０００５】
また有刺鉄線の場合は、防犯面は優れているが、外見のイメージが良くないので、全ての用途への利便性が低いという難点があった。
【課題を解決するための手段】
【０００６】
したがって本発明は、外見のイメージを損なうことなく、防犯機能が優れていることを特徴とする仮設塀用囲い板を提供することを目的とする。
【発明の効果】
【０００７】
本発明によって、防音対策と、不審者の侵入防止及び、防犯機能の優れた仮設塀用囲い板を提供することができる。
【０００８】
また本発明によって、外見のイメージを損なうことなく、また壁面に企業広告や地域物産及び、観光地もしくは自然を描いた写真や絵を印刷することで、宣伝及びイメージアップ、地域活性化をもたらす効果を提供することができる。
【０００９】
さらに本発明によって、囲い板の上部が屋根の機能を持ち、通行者がこれによって日差し避けや、雨避けとして利用できることで、設置側と通行者の両者に配慮した仮設塀用囲い板を提供することができる。
【図面の簡単な説明】
【００１０】
【図１】本発明の実施形態を示す全体の斜視図。
【図２】本発明の実施形態を示す全体の裏面の斜視図。
【図３】本発明の他の実施例を示す全体の側面図。
【図４】本発明の他の実施例を示す全体の側面図。
【図５】本発明の実施例における角の並設状態の全体の斜視図。
【発明を実施するための形態】
【００１１】
以下、本発明の実施形態を図１〜図５に基づいて説明する。
【００１２】
図１は、本発明の実施形態を示す全体の斜視図である。本発明において、工事現場やイベント会場の内部と、その外部とを遮蔽隔離する為の鋼板１は、外部への騒音防止に足る堅牢性と、遮音性を備え、場内より工事用器具や材料等が外部へ飛散しない為の高さを備えていればよい。
【００１３】
また、前記鋼板１の上部がねずみ返しのように反り返った形状を構成する板体で、侵入者が侵入することが容易でない角度でカーブを有していれば良い。
【００１４】
且つ、前記鋼板１は、通行者が日差しや雨避けとして利用できるよう、ある程度の幅をもったカーブを有することが好ましい。
【００１５】
次に、図２は本発明の実施形態を示す全体の裏面の斜視図である、図２において、固定用パイプ３及び固定用パイプ４は、鋼板１を並べて設置する為の固定部材であり、先端開放したパイプの数箇所には中心軸に直交した、ボルト用の孔を設け、複数本の固定用パイプ３を等間隔に下の土台に配置し固着する。
【００１６】
また、本発明のカーブを成した仮設塀用囲い板の実施例の形状は様々であり、例えば、本発明の他の実施例である図３のAにおいては、侵入者の侵入を防ぐために、鋼板１と同じ幅の支柱板５を鋼板１に接着固定し、さらに支柱板上部６を、鋼板のカーブに沿うように形成し接着固定することで、頑丈さを保持しながら、表面の凹凸を滑らかにし、侵入を防ぎながら、表面積を少なくすることで汚れや埃を寄せ付けにくい機能性も備える形状になる。
【００１７】
また、本発明の他の実施例である図４のBにおいては、ねずみ返しのカーブを形成する鋼板１を短くして、前面に支柱の役割をする鋼板８と、後面には支柱板７で挟み、ボルト９でそれら３枚を固定する。または、前面の支柱の役割をする鋼板８と後面の支柱板７を先に固定設置し、さらに上から鋼板１を降ろして間にはめ込む設置方法など、本発明の実施例の形状は自在である。
【００１８】
また、図４のように、固定用パイプ３及び固定用パイプ４は、用途や設置する場所によって、鋼板１及び支柱を支えるに十分な長さと本数があれば良い。
【００１９】
次に、図５は本発明の実施例における角の並設状態の斜視図である。敷地内を囲む時、仮設塀用囲い板を並設した角の部分には、鋼板１と鋼板１との間の上部に空間ができるので、それを埋める為に、上乗せ部材１１を取り付け設置する。
【００２０】
前記上乗せ部材１１としては、この鋼板１と鋼板１の間を隙間なく埋められる形を成したパネル、もしくは細かい網状のフェンスなどを用い、容易に敗れない構造の上乗せ部材１１とする。
【００２１】
前記上乗せ部材１１は、溝に噛み合わせた設置方法や、結束バンドでの固定設置、もしくは鋼板１と鋼板１の間をスライド式にはめ込む固定設置方法でも可能であり、侵入者からの進入防止に十分な強度を備えていれば良い。
【００２２】
本発明の仮設塀用囲い板を支える土台は、仮設塀用囲い板が転倒することを防止する為の重りを用いるなど本発明の仮設塀用囲い板を支えるに十分な強度を備えていれば良い。
【００２３】
また、仮設塀用囲い板の正面は、撥水性のインクジェット紙面を全体に有し、企業広告や地域物産及び、観光地もしくは自然を描いた写真や絵を印刷することができ、イメージアップ効果をもたらす機能を備える。
【符号の説明】
【００２４】
１  鋼板
２  支柱
３  固定用パイプ
４  固定用パイプ
５  支柱板
６  支柱板上部
７  支柱板
８  鋼板
９  ボルト
１０  鋼板下部
１１  上乗せ部材
【図１】
2011196090.tif 000003
【図２】
2011196090.tif 000004
【図３】
2011196090.tif 000005
【図４】
2011196090.tif 000006
【図５】
2011196090.tif 000007
(57)【要約】      （修正有）【課題】騒音や冷暖房の効果を高める。【解決手段】２枚ガラスが設置でき、従来の窓枠本体の横に１枚のガラスが設置できる骨組みにする一体型２重ガラス窓枠アルミサッシ。【選択図】図１
2011196163.tif 000002
【特許請求の範囲】
【請求項１】
２枚ガラスが設置できる２重窓粋にすることで、騒音や、空調の、冷、暖房の効率をよくする、一体型２重ガラス窓枠、アルミ  サッシです。
【請求項２】
従来の窓枠本体の横に１枚のガラスが設置できる骨組みにする一体型２重ガラス窓枠アルミサッシです。
【発明の詳細な説明】
【技術分野】
【０００１】本発明は製造段階で、窓枠本体に２枚のガラスが設置できるように製造し従来の組み立てとかわらない作業が出来る、従来型の本体窓枠の横にガラス１枚が増設するだけで製造コストも格安にできる。
【背景技術】
【０００２】従来の窓ガラスは窓枠にガラス１枚の設置でのため  騒音や冷、暖房の効果が不十分であら。
【発明の開示】
【発明の効果】
【０００３】一体型２重ガラス窓枠  アルミ  サッシによって  防音や冷，暖房の効果も向上し  現在  世界中で地球温暖化問題が騒がれている昨今、日本、世界中が  この一体型２重ガラス窓枠  アルミ  サッシの設備使用すれば  何  んらかの効果がでるとおもいます。
【発明を実施する為の最良の形態】
【０００４】本発明は  窓ガラスを２枚本体に固定することであり  取り扱いは従来と変わらない。
【図面の簡単な説明】
【０００５】
【図１】  一体型２重ガラス窓枠アルミ  サッシ側面、正面図
【符号の説明】
【０００６】１  本体メインフレーム      ２  本体サブフレーム      ３  ガラス
【図１】
2011196163.tif 000003
(57)【要約】【課題】従来の防塵、防水、防風、防音、目隠しなどの遮へい性機能を有するシートは、強風、突風などの風圧を受けると災害事故につながる可能性が高いということで、風圧軽減機能を有する網目状シートが使われる場合があるが遮へい性の機能低下が問題であった。【解決手段】遮へい性シートの風圧軽減のためにシートを筒状にした排気筒を取りつけることにより遮へい性の機能低下を補いながら風圧軽減ができるようにしたものである【選択図】図３
2011196164.tif 000002
【特許請求の範囲】
【請求項１】
防塵、防水、防風、防音、目隠しなどの遮へい性機能を有するシートに風圧軽減のための通気孔を設け、通気孔による遮へい性機能低下を補うために、シートを筒状にしてつくられた排気筒の先端を風圧導入口として通気孔に接合し、他方を風圧の排気出口とした風圧軽減シート。
【請求項２】
請求項１の通気孔に、シートを筒状にしてつくられた排気筒の側面に設けた風圧導入口を接合し、排気筒の両端を風圧の排気出口とすることができるようにした風圧軽減シート。
【請求項３】
請求項１または請求項２の風圧軽減シートを用いた傘。
【請求項４】
請求項１または請求項２の風圧軽減シートを用いたテント。
【請求項５】
請求項１または請求項２の風圧軽減シートを用いた建築足場用シート。
【発明の詳細な説明】
【技術分野】
【０００１】  本発明は、防塵、防風、防水、防音、目隠しなどのためにしきり、おおいとして使用するシートに加わる風圧の軽減を図ることに関する。
【背景技術】
【０００２】  従来の風圧軽減機能を有するシートには、メッシュシートと呼ばれる場合もある網目状シートがある。【０００３】  しかし網目状シートでは防塵、防風、防水、防音、目隠しなどの遮へい性機能が必要な用途には使用することが困難であった。
【発明の概要】
【発明が解決しようとする課題】
【０００４】  防塵、防風、防水、防音、目隠しなどの遮へい性機能を有するシートは、強風、突風によりシートがとばされたり、建築現場の足場に取りつけたシートが、足場までも壊し災害事故になる場合もあった。【０００５】  本発明は、このような従来の構成が有していた問題を解決しようとするものであり、遮へい性機能を有するシートに加わる風圧を効果的に排気することにより、災害事故を少なくすることを目的とするものである。
【課題を解決するための手段】
【０００６】  そして本発明は、上記目的を達成するために、遮へい性シートに風圧軽減排気のための通気孔を設け、通気孔にシートを筒状にした排気筒の両端の一方を排気導入口として取りつけ、他方を排気出口としたものである。【０００７】  また、第２の課題解決手段は、筒状シートの排気筒の側面に排気導入口を設けて通気孔に取りつけ、排気筒の両端を排気出口としたものである。【０００８】  上記の課題解決手段による作用は次の通りである遮へい性シートに設けた通気孔にシートを筒状にした排気筒を取りつけることにより遮へい性機能低下を補うことができ、風圧が強いときには通気孔から排気筒へ導かれる風圧が排気筒を押し拡げながら排気されることにより風圧軽減ができる。【０００９】  また、第２の課題解決手段による作用は、排気筒の側面に風圧導入口を設けて通気孔に取りつけることにより排気筒の両端を排気出口とすることができる
【発明の効果】
【００１０】  上述したように本発明の風圧軽減シートは、遮へい性を保ちながら、風圧軽減が必要な時に軽減できるシートを提供できる。
【図面の簡単な説明】
【００１１】
【図１】本発明の実施形態を示す風圧軽減シートの斜視図
【図２】同風圧軽減シートの断面図
【図３】排気筒の側面に風圧導入口を設け、排気筒の両端を排気出口とする風圧軽減シートの正面図
【図４】図３の風圧軽減シートの断面図
【発明を実施するための形態】
【００１２】  以下、本発明の実施の形態を図１〜図４に基づいて説明する。
【００１３】  図１、図２において、遮へい性機能を有するシート１に設けた通気孔２にシートを筒状にした排気筒３の両端の片方を風圧導入口４として接合し、他方を排気出口５とした風圧軽減シート。
【００１４】  図３、図４において、シートを筒状にした排気筒３の側面に風圧導入口６を設けて通気孔２に接合し排気筒の両端を排気出口７とした風圧軽減シート。
【００１５】  以下、上記構成の動作を説明する。
【００１６】  図１、図２において、遮へい性機能を有するシート１に風圧が加わると、通気孔２に接合された排気筒３の風圧導入口４より侵入する風圧が排気筒内部を押し拡げながら排気出口５より排気されて風圧軽減ができる
【００１７】  また、風圧が排気筒３の内部を押し拡げるだけの圧力がない時は、重力により排気筒の内部が狭少となり、遮へい性機能を補うことができる。
【００１８】図３、図４において排気筒３の側面に風圧導入口６を設けて通気孔２に接合することにより排気出口を排気筒３の両端を排気出口７とすることができる。以上のように、本実施形態によれば遮へい性機能を有するシートの風圧軽減ができる。
【符号の説明】
【００１９】２  通気孔
３  排気筒
４、６  風圧導入口
５、７  排気出口
【図１】
2011196164.tif 000003
【図２】
2011196164.tif 000004
【図３】
2011196164.tif 000005
【図４】
2011196164.tif 000006
(57)【要約】【課題】  ドアクローザーのストップ位置を確実にするため３点で支持するドアクロザーのストップ装置を提供する。【解決手段】  端部に止め具（８）を設けたスライドレール（６）を扉の枠部に取り付け、そのスライドレール（６）内を自在移動するスライド片（７）に回動するようにストップバー（５）を取り付け、その先端をフォークアーム（２）とリンク（３）の連結部（４）に回動するように取り付けたドアクローザーのストップ装置を特徴とする。【選択図】図１
2011196162.tif 000002
【特許請求の範囲】
【請求項１】
端部に止め具（８）を設けたスライドレール（６）を枠部に取り付け、そのスライドレール（６）内を自在移動するスライド片（７）に回動するようにストップバー（５）を取り付け、その先端をアーム（２）とリンク（３）の連結部（４）に回動するように取り付けた、ドアクローザーのストップ装置。
【請求項２】
扉の枠部がスライドレール（６）の形状に一体成型加工された請求項１に記載のドアクローザーのストップ装置。
【発明の詳細な説明】
【技術分野】
【０００１】  この発明は、ドアクローザーのストップ位置を３点で支持するドアクローザーのストップ装置に関するものである。
【背景技術】
【０００２】  従来のドアクローザーは、ボールストップ装置のついたリンクと、ドアクローザー本体からのアームとの連結によるストップ装置となっていた。
【発明の開示】
【発明が解決しょうとする課題】
【０００３】  これは、次のような欠点があった。
従来のドアクローザーは、扉を任意の角度に開いた状態を保つカム式アンチフリクション機構によるストップ装置がついている。その構造は、押しバネによりストップボールをカムの凹部に押し込むことによりその位置を保持しようとするものであるが保持する力が弱く風圧等によりストップボールがカムの凹部を乗り越えて設定されたストップ位置からはずれ外壁や取り付けられている器物、扉の破損、又、人的被害を発生させることがあった。
【０００４】  そのため、床に戸当りを取り付け防止策としていたが平面状の突起物のため、美観を損ねたりつまずき等の原因になっていた。本発明は以上のような欠点をなくするためにされたものである。
【課題を解決するための手段】
【０００５】  端部に止め具（８）を設けたスライドレール（６）を扉の枠部に取り付け、そのスライドレール（６）内を自在移動するスライド片（７）に回動できるようにストップバー（５）を取り付け、その端部をアーム（２）とリンク（３）の連結部（４）に回動するようにとりつけたものである。本発明は、以上の構成よりなるドアクローザーのストップ装置である。
【発明の効果】
【０００６】  ボールストップ装置により任意の開き角度に保持された扉位置にスライドレールの端部の止め具にスライドレール内を移動したスライド片をストップ位置とすることにより、リンク、アーム、ストップバーの３点支持となり設定された開き角度以上に開くことを、確実に防ぐことができる。
【０００７】  それにより器物の破損、人的被害を防ぐことができ美観を損ね、つまずき等の原因になっていた戸当りは不要になる。
【０００８】  扉を閉める場合はストップバーのスライド片がスライドレール内を移動して収納される。
【発明を実施するための最良の形態】
【０００９】  以下、本発明を実施するための形態について説明する。【００１０】  端部に止め具（８）を設けたスライドレール（６）を枠部に取り付け、そのスライドレール（６）内を長手方向に自在移動するスライド片（７）に回動できるようにストップバー（５）を取り付けその端部を、ボールストップ装置（１）を有するリンク（３）とドアクローザー本体（９）からのアーム（２）の連結部（４）に回動するように取り付ける。【００１１】  ボールストップ装置により任意の開き角度に設定された扉位置でアーム（２）とストップバー（５）が直線上になるように止め具（８）の位置を合わせることにより設定された開き角度以上に開くことを、確実に防ぐことができる。【００１２】  アルミ、スチール等の鋼製建具の扉枠をスライドレール（６）の形状に一体成型加工することにより美観を高めることができる。本発明を使用しない場合は、成型加工されたスライドレールに溝隠しカバーを取り付けることにより美観を損ねることはない。
【図面の簡単な説明】
【００１３】
【図１】  本発明の扉を開いた状態の斜視図である。
【図２】  本発明の扉を閉じた状態の斜視図である。
【符号の説明】
【００１４】  １  ボールストップ装置
２  アーム
３  リンク
４  連結部
５  ストップバー
６  スライドレール
７  スライド片
８  止め具
９  ドアクローザー本体
【図１】
2011196162.tif 000003
【図２】
2011196162.tif 000004